(57)【特許請求の範囲】
【請求項１】
室内熱交換器およびファンを内装するキャビネットが前面パネルと背面板とを備え、前面パネルとその背面側の背面板とに跨って天面吸込口が形成されると共に、該天面吸込口に背面板側の天面グリルと前面パネル側の天面グリルとが対面して接合するように形成され、前記天面吸込口の裏面にフィルタが配置され、該フィルタは左右方向に複数個配置され、前記フィルタを前後方向に挿脱可能に保持するためにフィルタの左右両端部を案内するフィルタガイドが前面パネルの内面側及び背面板の内面側にそれぞれ設けられ、
前記各フィルタガイドは、前面パネルおよび背面板の内面側にそれぞれ突出する縦リブと、該縦リブの内端に形成されフィルタを案内する内レールとを備え、
左右方向で隣り合うフィルタを案内するフィルタガイドでは、前記縦リブが左右方向で隣り合うフィルタのガイド面とされ、前記内レールが前記縦リブの下端から左右方向に張り出してフィルタの内面側をガイドするようにされ、さらに、左右方向で隣り合うフィルタを案内するフィルタガイドの前面パネル側のフィルタガイドと背面側のフィルタガイドとを接合する接合部において、前面パネル側の縦リブと背面側の縦リブのうちの一方が、前面パネル側の天面グリルと背面板側の天面グリルの接合面よりも他方側に突出されて突出リブが形成され、他方の縦リブが前面パネル側の天面グリルと背面板側の天面グリルの接合面よりも前後方向で後退して形成され、前記突出リブに対応した他方の内レールの端縁にリブ溝が切欠形成され、前面パネルと背面板との接合時に前記突出リブが前記リブ溝に係脱可能に係合されることを特徴とする空気調和機。
【請求項２】
前記リブ溝は、内レールの端縁に向かうほど幅広の開口となるテーパを有することを特徴とする請求項１に記載の空気調和機。
【発明の詳細な説明】
【技術分野】
【０００１】
本発明は、キャビネットの吸込口の内面側に配されたフィルタを挿脱可能に保持するフィルタガイドを備えた空気調和機に関するものである。
【背景技術】
【０００２】
従来、この種の空気調和機として、特許文献１に示すように、キャビネットの天面に形成された吸込口と、キャビネットの吸込口の内面側に配されたフィルタと、フィルタを挿脱自在に移動させる移動経路とを備え、吸込口には吸込口を全体的に覆う吸込みグリルは形成されず、フィルタを移動経路に挿入する際に、フィルタの挿入先端が吸込口の端縁に引っ掛からないように、キャビネット左右方向に対して左右いずれか一方の方向に吸込口の後端縁を傾斜させ、吸込口の後端縁の後ろ側にもグリルを形成してキャビネットの天面をほぼ開口する大きな天面吸込口を設けた空気調和機が開示されている。
【０００３】
この特許文献１の空気調和機では、キャビネットは、ベースとなる背面板、右カバー、左カバーおよび前面パネルがそれぞれ分解可能とされており、キャビネットの天面には、これらの部材に囲まれた左右方向に長い開口が形成され、この開口の左右方向中央にはフィルタガイドが別部材として取り付けられている。
【０００４】
上記構成により、キャビネットの天面の開口は、左右に２分割され、吸込口が左右一対形成され、各吸込口ごとにフィルタが配置され、フィルタはフィルタガイドに沿って挿脱自在に移動可能とされる。
【先行技術文献】
【特許文献】
【０００５】
【特許文献１】特許第４７１３６５８号公報
【発明の概要】
【発明が解決しようとする課題】
【０００６】
ところで、特許文献１のように、キャビネットの天面吸込口を前面パネルと背面板とに跨って形成する場合、特許文献１の空気調和機では、前面パネルおよび背面板とは別部品のフィルタガイドを設け、このフィルタガイドにフィルタを挿脱自在に移動させる構成を採用していた。
【０００７】
しかしながら、特許文献１のように、フィルタガイドを別部品として設ける場合、別部品の成形によりコスト高となるおそれがあった。
【０００８】
コスト高を解消するために、前面パネル及び背面板に一体的にフィルタガイドを形成する場合、前面パネルと背面板との接合部において、両部材のフィルタガイドの位置ずれにより、フィルタを挿入する際にフィルタがフィルタガイドに引っ掛かるなどの不具合が懸念される。
【０００９】
本発明は、上記に鑑み、二部材に跨ってフィルタガイドを形成する場合にフィルタを円滑に挿入して保持できるようにした空気調和機の提供を目的としている。
【課題を解決するための手段】
【００１０】
上記目的を達成するため、本発明は、室内熱交換器およびファンを内装するキャビネットが前面パネルと背面板とを備え、前面パネルとその背面側の背面板とに跨って天面吸込口が形成されると共に、該天面吸込口に背面板側の天面グリルと前面パネル側の天面グリルとが対面して接合するように形成され、前記天面吸込口の裏面にフィルタが配置され、該フィルタは左右方向に複数個配置され、前記フィルタを前後方向に挿脱可能に保持するためにフィルタの左右両端部を案内するフィルタガイドが前面パネルの内面側及び背面板の内面側にそれぞれ設けられ、前記各フィルタガイドは、前面パネルおよび背面板の内面側にそれぞれ突出する縦リブと、該縦リブの内端に形成されフィルタを案内する内レールとを備え、左右方向で隣り合うフィルタを案内するフィルタガイドでは、前記縦リブが左右方向で隣り合うフィルタのガイド面とされ、前記内レールが前記縦リブの下端から左右方向に張り出してフィルタの内面側をガイドするようにされ、さらに、左右方向で隣り合うフィルタを案内するフィルタガイドの前面パネル側のフィルタガイドと背面側のフィルタガイドとを接合する接合部において、前面パネル側の縦リブと背面側の縦リブのうちの一方が、前面パネル側の天面グリルと背面板側の天面グリルの接合面よりも他方側に突出されて突出リブが形成され、他方の縦リブが前面パネル側の天面グリルと背面板側の天面グリルの接合面よりも前後方向で後退して形成され、前記突出リブに対応した他方の内レールの端縁にリブ溝が切欠形成され、前面パネルと背面板との接合時に前記突出リブが前記リブ溝に係脱可能に係合されている。
【００１１】
上記構成によると、天面吸込口が前面パネルと背面板とに跨って大きく形成され、これに対応して天面吸込口から吸い込まれる室内空気を除塵するフィルタをフィルタガイドに沿って前後方向に挿脱可能に保持する。
【００１２】
このとき、フィルタガイドが前面パネルと背面板との二部材に亘って設けられると共に、フィルタガイドが両部材にそれぞれ形成されるよう分割して設けられる。そのため、両部材の接合部では、両フィルタガイドの位置ずれが生じると、フィルタが引っ掛かり、フィルタの移動が阻害されるおそれがある。しかし、両フィルタガイドの接合部において、突出リブが内レール端縁のリブ溝に係合することにより、フィルタガイドの位置ずれを防止してフィルタの挿入をスムーズに行うことができる。
【００１３】
さらに、突出リブがリブ溝に係合するため、究極的に前面パネルと背面板の接合時における左右方向の位置ずれをも防止することができる。このため、キャビネットの組立性も良好となり、輸送時の振動や横揺れ時にも安定したキャビネット構造を実現することができる。
【００１４】
なお、フィルタガイドの縦リブは、前面パネルや背面板と一体形成する場合に用いられる場合のみならず、縦リブの左右両面が左右方向で隣り合うフィルタのガイド面とするようにしてもよい。また、縦リブの内端（熱交換器側の端部）から左右方向に張り出す内レールはフィルタの内面側（熱交換器側）をガイドする機能を有する。
【００１５】
また、リブ溝は、内レールの端縁に向かうほど幅広の開口となるテーパを有するようにしてもよい。
【００１６】
リブ溝がその端縁にテーパを有すると、前面パネルと背面板との接合時に、両者が左右方向で位置ずれしていても突出リブがリブ溝のテーパ溝壁に沿って導かれて溝終端に案内されるので、前面パネルと背面板との組立が容易に行える。また、左右方向直線状の溝に導かれ、でガタツキがなくなるので、輸送時の振動や横揺れ時にもさらに安定したキャビネット構造とすることができる。なお、リブ溝は、Ｙ字溝やＶ字溝など、内レール端縁にテーパを有する各種溝形状を採用することができる。リブ溝が、Ｙ字溝の場合、テーパ溝壁に沿って直線状の溝に導かれて溝終端に案内される。
【発明の効果】
【００１７】
以上のとおり、本発明によると、前面パネル側のフィルタガイドと背面板側のフィルタガイドとの接合部において、一方のフィルタガイドの突出リブが他方のフィルタガイドの内レール端縁のリブ溝に係合するので、フィルタガイドの位置ずれを防止してフィルタの移動をスムーズに行うことができる。さらに、突出リブがリブ溝に係合するため、前面パネルと背面板の接合時における左右方向の位置ずれを防止することができ、キャビネットの組立性も良好となり、輸送時の振動や横揺れ時にも安定したキャビネット構造を実現することができる。
【図面の簡単な説明】
【００１８】
【図１】本実施形態における空気調和機の室内機の外観斜視図である。
【図２】図１の室内機において前カバーを開放させてフィルタを取り外した状態を示す外観斜視図である。
【図３】図１の室内機の側面断面図である。
【図４】前面パネルを背面側からみた斜視図である。
【図５】背面板を前面側からみた斜視図である。
【図６】背面板側フィルタガイドの拡大斜視図である。
【図７】前面パネル側フィルタガイドの後端部拡大斜視図である。
【図８】前面パネル側フィルタガイドと背面板側フィルタガイドの接合状態を示す断面図である。
【発明を実施するための最良の形態】
【００１９】
本発明に係る実施形態を図面に基づいて説明する。本実施形態ではセパレート型空気調和機の室内機を例に説明する。この種の空気調和機は、室内機の内部に収容される室内熱交換器と、図示しない室外機に収容される圧縮機、四方弁、室外熱交換器、絞り装置（共に図示せず）とが冷媒管によって接続されて冷凍サイクルが構成され、冷房、暖房、除湿などの各種運転モードを実行できるようになっている。
【００２０】
室内機は、図１〜図３に示すように、キャビネット１の上面に室内空気を吸込む天面吸込口２が形成され、また、キャビネット１の前面中央部分に室内空気を吸込む前面吸込口３が形成され、さらに、キャビネット１の前面下方の開口に吹出口４が形成されている。なお、キャビネット１を正面から見て幅方向を左右方向とし、キャビネット１の奥行き方向を前後方向とし、キャビネットの高さ方向を上下方向とする。
【００２１】
キャビネット１は、図１〜図３に示すように、前面が開放した箱型の背面板８と、背面が開口した箱状の前面パネル９とが互いに組み合わされて外装を構成している。
【００２２】
キャビネット１の内部には、図３に示すように、天面吸込口２および前面吸込口３から吹出口４に至る空気通路５が形成され、この空気通路５に室内熱交換器６とファン７とが配置されている。
【００２３】
室内熱交換器６は、前面側熱交換器６ａ，６ｂと背面側熱交換器６ｃの３個の熱交換器が逆Ｖ字状に配置されている。前面側熱交換器６ａ，６ｂは、上側の熱交換器６ａと下側の熱交換器６ｂとを備え、上側の熱交換器６ａの上端が後方に傾斜するように配置され、その下端に連続して下側の熱交換器６ｂがほぼ垂直に配置されている。上側の熱交換器６ｂは背面側熱交換器６ｃと同じ高さに配置され、両熱交換器が側面視で逆Ｖ字形に配置されている。
【００２４】
なお、熱交換器の個数は図３に示す３個の熱交換器に限定されるものではなく、前面側と背面側にそれぞれ１個を配列した態様や、背面側にさらに補助熱交換器を追加して合計４個の熱交換器を配列した態様が例示できる。
【００２５】
ファン７は、クロスフローファンであり、空気通路５の下流側で室内熱交換器６に囲まれた空間内に配置される。
【００２６】
空気通路５のうちファン７よりも下流側には、前後両側に送風案内壁が形成され、ファン７からの送風を吹出口４からキャビネット１の前面下部の開口に導くようにしている。
【００２７】
キャビネット１を構成する背面板８は、前面が開放した箱状のもので、その背面側に室内の壁面に取り付けるための平坦面が形成されている。背面板８の前側にはファン７からの送風を前方に案内するよう凹状曲面に形成された後側の送風案内壁１０を有している。また、背面板８の天面は、天面吸込口２の一部を形成する格子状の吸込グリル１１を有している。
【００２８】
前面パネル９は、背面が開放した箱状のものであって、その天面のほぼ全域が開口され、その開口部に格子状の吸込グリル１３が形成されている。格子状の吸込グリル１３は背面板８側の吸込グリル１１と並設され、両吸込グリル１１、１３により天面吸込口２が構成されている。
【００２９】
前面パネル９の前面には、前面側熱交換器６ａ，６ｂに対向して前面開口９ａが形成されている。この前面開口９ａを覆うように前カバー１４が、その上端の軸周りに開閉回動自在に前面パネル９に支持される。
【００３０】
前カバー１４は、平板状のものであって、その左右下端の裏面には前面パネル９に係合するための係合突起（図示略）が形成され、該係合突起に対応する前面パネル位置には、図２に示すように、前カバー１４を係止するための係合受け部４５が形成されている。
【００３１】
前面パネル９は、その前側下部において、前カバー１４よりも下側が側面視で円弧状に後退して底壁部１６に至る。この円弧面に形成された開口には、吹出口４を構成するルーバユニット１７が嵌め込まれている。
【００３２】
ルーバユニット１７は、風向変更装置の一部を構成するもので、図３に示すように、中央部に吹出口４を形成する周縁部材１８と、吹出口４の前方に横軸周りに開閉回動自在に設けられた導風パネル１９と、導風パネル１９の後側で吹出口４に揺動自在に配置された複数の縦ルーバ２０とを備えている。さらに、本例では導風パネル１９の内側にある導風面に横ルーバ２１が配設されている。
【００３３】
周縁部材１８のうち上側の周縁部材は断面上開放コ字形に形成されて熱交換器から滴下する水を受けるためのドレンパン２２が構成されている。ドレンパン２２の内部には断熱材２３が貼着され、この断熱材の上側に、前面側熱交換器６ａ，６ｂのうち下側熱交換器６ｂの下端部が配置されている。
【００３４】
ドレンパン２２は、その後壁面及び底壁面により空気通路５の前側の送風案内壁が構成される。このドレンパン２２の後壁面と背面板８側の後案内壁１０との間に隙間を空けて、ファン７が配置されている。
【００３５】
また、前面パネル９の天面吸込口２の裏面及び前面パネルの前側開口の裏面側と室内熱交換器６との間にフィルタ１５が着脱可能に配設される。フィルタ１５は、前カバー１４を開放することにより、前面パネル９の前面から取り外すことができる。
【００３６】
本例では、フィルタ１５が左右一対設けられている。各フィルタ１５は、図２に示すように、周囲の枠部材２４と、その内部に格子状に配列された縦横の桟部材２５と、これら枠部材と桟部材に亘って張設された網部材２６とから全体として長方形状に形成され、前面パネル９の天面吸込口２と前面の開口との境界部でＲ状に折り曲げられ、側面視でＬ字状に形成されている。このフィルタ１５は合成樹脂製のものであって可撓性を有するものである。
【００３７】
フィルタ１５は、前面パネル９の前面開口９ａより後方に形成されたフィルタガイド２７に沿って装着され、その収容状態では、図３に示すように、フィルタ１５の下端枠部材２４ａが前面パネル９の前面開口９ａの下側口壁３５の裏面に隠れるように配置される。
【００３８】
また、フィルタ１５の左右方向中央位置には、最下段の横桟位置にフィルタ１５を着脱操作するための取手３４が前方へ突出形成されている。また、前カバー１４の閉姿勢で、前カバー１４の裏面にフィルタの浮き上がりを防止するためのフィルタ押えリブ３８が突出形成される。この押えリブ３８はフィルタ１５の取手３４に当接するように配置されている。
【００３９】
図４は前面パネルを背面側からみた斜視図である。図５は背面板を前面側からみた斜視図である。図６は背面板側フィルタガイドの拡大斜視図、図７は前面パネル側フィルタガイドの後端部拡大斜視図である。図４〜図６に示すように、前面パネル９と背面板８とは、上側の係止部５０および係合部５１と、下側の係止部５２とで両部材が係脱可能に接合され、キャビネット１を構成している。
【００４０】
上側の係止部５０は、背面板８の天面グリル１１の前端部において左右方向で間隔において３箇所に前方の突出する側面視Ｌ字形の係止突起５３（図６参照）と、各係止突起５３に対応して前面パネル９の天面グリル１３の後端面に凹設された係止凹部５４（図７参照）とを備え、係止突起５３を係止凹部５４に前後方向で係止することで、前面パネル９のグリル１３と背面板８のグリル１１部が係止される。なお、係止突起５３を前面パネル側に、また、係止凹部５４を背面板８側に形成してもよい。
【００４１】
３箇所の係止部５０間には上側の係合部５１が設けられている。上側の係合部５１は、背面板８の天面グリル１１の前端部において左右方向に帯状に形成された突条５５（図６参照）と、各突条５５に対応して前面パネル９の天面グリル１３の後端面に凹設された左右方向に長い長孔部５６（図７参照）とを備え、突条５５を長孔部５６に前後方向から係合することで、前面パネル９のグリル１３の後端面と背面板８のグリル１１部の前端面とが対面して接合される。なお、突条５５を前面パネル側に、長孔部５６を背面板側に形成してもよい。
【００４２】
下側の係止部５２は、背面板８の下側壁面に左右方向で２箇所間隔において形成された係合孔５７（図５参照）と、この係合孔５７に対応する前面パネル９の下側に突出形成された係合突起５８とを備え、係合突起５８を係合孔５７に前後方向から係合することで、前面パネル９の底壁１６と背面板８の下部とが係合される。なお、係合孔５７を前面パネル側に、係合突起５８を背面板側に形成してもよい。
【００４３】
フィルタガイド２７は、前面開口９ａの左右両端部および左右方向の中央部に前後方向に亘って形成される。中央のフィルタガイド２７は、その両面で左右のフィルタ１５，１５を案内するようにしている。左右のフィルタガイド２７間には、天面吸込口２と前面開口９ａとの境界部分でフィルタ１５の内面側を支持する受け部材３７が差渡し形成される（図４参照）。
【００４４】
これらのフィルタガイド２７は、前面パネル９の内面側及び背面板８の内面側にそれぞれ一体的に設けられている。そのため、前面パネル側のフィルタガイド２７ａ（図７参照）と、背面板側のフィルタガイド２７ｂ（図６参照）とが前後方向で分割した形態となっている。
【００４５】
各フィルタガイド２７は、図４〜図７に示すように、前面パネル９および背面板８の内面側にそれぞれ突出する縦リブ６１と、該縦リブの内端（熱交換器側の端部）に形成されフィルタ１５を案内する板状の内レール６２とを備えている。左右両端のフィルタガイド２７は正面視でＬ字形に形成され、左右方向で中央のフィルタガイド２７は、左右のフィルタ１５を案内するため、逆Ｔ字形に形成されている。
【００４６】
左右両端のフィルタガイド２７は、その端面が前面パネル９および背面板８の各グリル端面と面一に形成され、接合時に縦リブ６１及び内レール６２の端面同士が対面するように設定されているが、左右方向中央のフィルタガイド２７の接合部は、突出リブ６３およびリブ溝６４により位置ずれ防止対策が施されている。
【００４７】
すなわち、左右方向中央のフィルタガイド２７では、図６〜図８に示すように、前面パネル側のフィルタガイド２７ａと背面板８側のフィルタガイド７ｂとの接合部において、前面パネル側の縦リブ６１と背面側の縦リブ６１のうちの一方側の縦リブ６１が他方側に突出されて突出リブ６３が形成され、これに合わせて他方側の縦リブ６１が前後方向で後退して形成されると共に、前記突出リブ６３に対応した他方の内レール６２の端縁にリブ溝６４が切欠形成され、前面パネル９と背面板８との接合時に突出リブ６３がリブ溝６４に係脱可能に係合される。
【００４８】
なお、空気調和機の室内機のメンテナンス時に前面パネル９を取り外す。このとき、フィルタガイド２７の突出リブ６３が前面パネル９に設けられていると、前面パネル９を取り外した際に誤って床面や机面に落下させてしまった場合、突出リブ６３が損傷してしまう可能性がある。このような不具合を解消するため、本例では、背面板側に突出リブ６３を設けている。背面板は室内機を室内の壁面に取り付ける際に壁面に固定されるので、メンテナンス時に背面板が落下することはない。そのため、突出リブが損傷するのを防止することができる。
【００４９】
左右方向中央のフィルタガイド２７では、縦リブ６１は左右方向で隣り合うフィルタ１５のガイド面とされ、縦リブ６１の下端から左右方向に張り出す内レール６２は左右のフィルタ１５の内面側をガイドするようにされている。
【００５０】
本例では、フィルタを左右一対設け、天面吸込口の左右方向中央にフィルタガイド２７を設けた構成を示したが、これに限らず、３個以上のフィルタを左右方向に配列し、各フィルタ間にフィルタガイドを設けるようにしてもよい。
【００５１】
また、リブ溝６４は、内レール６２の端縁に向かうほど幅広の開口となるよう開口壁がテーパ６５をなすＹ字状の溝とされ、突出リブ６３を受け入れやすくしている。これにより、前面パネル９と背面板８の接合時に、両者が左右方向で位置ずれしていても突出リブ６３がリブ溝６４のテーパ６５の溝壁に沿って直線状の溝に導かれ溝終端に案内されるようになり、前面パネル９と背面板８の組立を容易にしている。
【００５２】
上記構成において、ファン７の駆動により、室内空気はキャビネット１の天面吸込口２および前カバー１４の下端に形成された前面吸込口３よりフィルタ１５を介して室内熱交換器６に導かれ、室内熱交換器６を流れる冷媒との間で熱交換されて調和され、調和された空気は空気通路５を通して吹出口４から室内に放出される。
【００５３】
また、キャビネット１の組立時には、前面パネル９の後端と背面板８の前端面とを接合する。このとき、まず、下側の接合部において、背面板８側の係合孔５７と、前面パネル９側の係合突起５８とを前後方向から係合することで、前面パネル９と背面板８の下部とが係合される。
【００５４】
次に、前面パネル９および背面板８の上側接合部において、係合部５１の突条５５を長孔部５６に係合しつつ、上側の係止部５０の係止突起５３を係止凹部５４に係止する。
【００５５】
このとき、左右方向中央のフィルタガイド２７では、前面パネル側のフィルタガイド２７ａと背面板８側のフィルタガイド７ｂとの接合部において、背面側の突出リブ６３が前面パネル側に後退して形成された縦リブの下側にあるリブ溝６４に案内されて係合するので、フィルタガイド２７の位置ずれを防止してフィルタ１５の挿入保持をスムーズに行うことができる。
【００５６】
さらに、前面パネル９と背面板８との接合時に、両者が左右方向で位置ずれしていても突出リブ６３がリブ溝６４のテーパ溝壁６５に沿って直線状の溝に導かれて溝終端に案内されるので、前面パネルと背面板との組立が容易に行える。また、左右方向でガタツキがなくなるので、輸送時の振動や横揺れ時にもさらに安定したキャビネット構造とすることができる。
【００５７】
また、前面パネル９と背面板８との接合時において、上側の係合部５１では、背面板８の天面グリル１１の前端部にある左右方向に長い帯状の突条５５と、前面パネル９の天面グリル１３の後端面に凹設された左右方向に長い長孔部５６とが嵌まり合うので、グリル１１，１３同士の上下方向での位置決めも確実に行える。そのため、前後のフィルタガイド２７ａ、２７ｂの内レール同士も上下方向で面一に位置決めされることになり、フィルタの挿入をスムーズに行うことができる。
【００５８】
なお、リブ溝６４において、直線状の溝終端において、溝幅を突出リブ６３の板厚と等しいか、わずかに小幅に形成しておくことで、突出リブ６３とリブ溝６４とが溝終端位置で強固に嵌まり合い、前面パネル９と背面板８とのガタツキがなくなるので、輸送時の振動や横揺れ時にも、さらに安定したキャビネット構造とすることができる。
【００５９】
また、使用時においては、フィルタ１５の着脱は前面パネル９の前カバー１４を開放し、前面開口９ａより後方に形成されたフィルタガイド２７に沿って着脱する。このとき、前面パネル側のフィルタガイド２７ａと背面板側のフィルタガイド２７ｂとは突出リブ６３とリブ溝６４とで位置決めされているので、フィルタ１５の挿入時にフィルタ１５がガイド面に引っ掛かるのを防ぎ、フィルタ１５の挿入保持が容易に行える。
【００６０】
なお、本発明は上記実施形態に限定されるものではなく、本発明の範囲内で多くの修正・変更を加えることができるのは勿論である。例えば、上記実施形態では、Ｙ字状のリブ溝について例示したが、Ｖ字状の溝であってもよい。また、上記の例では、背面板８側のフィルタガイド２７ｂに突出リブ６３を形成し、前面パネル９側のフィルタガイド２７ａにリブ溝６４を形成したが、突出リブ６３を前面パネル側のフィルタガイド２７ａに、また、リブ溝６４を背面板側のフィルタガイドに形成する態様であってもよい。
【符号の説明】
【００６１】
１    キャビネット
２    天面吸込口
３    前面吸込口
４    吹出口
５    空気通路
６    室内熱交換器
６ａ、６ｂ  前面側熱交換器
６ｃ  背面側熱交換器
７    ファン
８    背面板
９    前面パネル
９ａ    前面開口
１０    後側の送風案内壁
１１    吸込グリル
１３    吸込グリル
１４    前カバー
１５    フィルタ
１６    底壁部
１７    ルーバユニット
１８    周縁部材
１９    導風パネル
２０    縦ルーバ
２１    横ルーバ
２２    ドレンパン
２３    断熱材
２４    枠部材
２４ａ  下端枠部材
２５    桟部材
２６    網部材
２７    フィルタガイド
２７ａ  前面パネル側のフィルタガイド
２７ｂ  背面板側のフィルタガイド
３５    下側口壁
３７    差渡部材
３８    押えリブ
６１    縦リブ
６２    内レール
６３    突出リブ
６４    リブ溝
６５    テーパ
【図１】
0005926056.tif 000002
【図２】
0005926056.tif 000003
【図３】
0005926056.tif 000004
【図４】
0005926056.tif 000005
【図５】
0005926056.tif 000006
【図６】
0005926056.tif 000007
【図７】
0005926056.tif 000008
【図８】
0005926056.tif 000009